(57)【要約】【課題】水の浄化と活性化とを同時に達成する浄化装置に於いて、高圧水が作用した時の浄水部の損傷を防止する。【解決手段】一体に組み付けられた弁部１と浄水部２とからなる。弁部１の弁座４には、側壁に通水開口６を有するガイド５が付いている。ガイド５には、浄水筒７の下端部がスライド自在に嵌っていて、筒７がスライドすると、ガイド５の通水開口６が開閉する。浄水筒７には、両端壁を多孔通水板８、９で仕切られた浄水室１０があって、室内には多数の浄水球１１が入っている。浄水球１１は天然陶土を焼結した、直径１０〜１５ｍｍの球体であり、水の通過によって流動する。浄水筒７は、バネ１２で降下方向へ付勢されている。通常時には、ガイド開口６が閉じ、弁部に入った水は浄水部２へ送られる。高圧水の作用時には、浄水筒７が通水抵抗で上昇して、ガイド開口６が開き、水は、通水開口６からそのまま弁部の出口へと流出する。【選択図】　図１
2004033906.tif 000002
【特許請求の範囲】
【請求項１】
一体に組み付けられた弁部と浄水部とからなり、弁部の弁座には、側壁に通水開口を有するガイドが取付けられ、他方、浄水部の内部には浄水筒が移動自在に設けられ、浄水筒には両端壁を多孔通水板で仕切られた浄水室があって、この浄水室内には多数の浄水球が収容されており、また、浄水筒の下端は弁部内に延びて、ガイドにスライド自在に嵌合し、浄水筒のスライド移行によってガイドの側壁の通水開口が開閉されるようになる浄水装置。
【請求項２】
浄水筒には、バネ圧により、ガイドの側壁開口を閉じる方向へ移行しようとする力が付与されている請求項１記載の浄水装置。
【請求項３】
浄水球は、天然陶土を焼結した直径１０〜１５ｍｍの球体である請求項１記載の浄水装置。
【発明の詳細な説明】
【０００１】
【発明の属する技術分野】
この発明は、多数の浄水球体を筒内に収容し、この球体を水流によって流動させながら、水の浄化と活性化とを図る浄水装置の改良に関する。
【０００２】
【従来の技術】
多数の浄水球体を収容した筒を垂直に配し、筒の下端から上端に向って水を流し、球体を筒内で自由に流動させながら、水を浄化すると共に、水の活性化を同時に達成できるようにした浄水装置は、従来から、例えば、特開２０００−９３９５０号などとして提案されている。このような装置では、浄水球体が水流によって激しく流動し、水が攪拌されると共に、球体同士が衝突し合う間に、水に含まれる不純物が取除かれ、かつ、水が活性化されるのである。
【０００３】
【発明が解決しようとする課題】
ところが、前記従来の浄水装置には、次のような欠点がある。即ち、球体を収容した筒は、その上下両端壁が多孔板で形成され、この多孔板を通して水が送られるのであるが、異常な高水圧によって、予定以上の水量に達すると、全ての球体が水流で押上げられて、上端多孔板の下面に球体が貼り付いて固定してしまうようになる。更に、急激な水量増加の場合には、球体が一気に上昇して多孔板に衝突し、多孔板や球体の破損を招くおそれがある。
【０００４】
本発明は、このような点に鑑み、水の浄化と活性化とを効率よく達成でき、かつ、水量が増えた場合には、弁機能によって水流を逃がして安全を図ることのできる浄水装置を提供するにある。
【０００５】
【課題を解決するための手段】
本発明の浄水装置の技術的手段は、一体に組み付けられた弁部と浄水部とからなり、弁部の弁座には、側壁に通水開口を有するガイドが取付けられ、他方、浄水部の内部には浄水筒が移動自在に設けられ、浄水筒には両端壁を多孔通水板で仕切られた浄水室があって、この浄水室内には多数の浄水球が収容されており、また、浄水筒の下端は弁部内に延びて、ガイドにスライド自在に嵌合し、浄水筒のスライド移行によってガイドの側壁の通水開口が開閉されることにある。
【０００６】
また、浄水筒には、バネ圧によって、ガイドの側壁開口を閉じる方向へ移行しようとする力を付与するのが好ましい。更に、浄水球には、天然陶土を焼結した直径１０〜１５ｍｍの球体を用いるのが好ましい。
【０００７】
【発明の実施の形態】
本発明の浄水装置の実施の形態を、図面の実施例に基づいて説明する。本発明の浄水装置は、弁部１と浄水部２とからなり、浄水部２は弁部１の上に一体に組み付けられている。弁部１の弁箱３の内部は、中央で仕切られ、かつ、弁座４が形成されている。この弁座４には円筒状のガイド５が取付けられている。この円筒ガイド５は、側壁に通水開口６を有することが必要であり、実施例では側壁は櫛歯状になっている。
【０００８】
このガイド５には、浄水筒７の下端部が上下方向にスライド自在に嵌合している。従って、図１のように、浄水筒７の下端部が、ガイド５に完全に嵌り込んでいれば、ガイド側壁の通水開口６は遮断され、反対に、図２のように浄水筒７が上方へ移動すれば、ガイドの通水開口６が開いて、ここからの通水が可能となる。浄水筒７の上部には、上下端壁を多孔通水板８、９で仕切られた浄水室１０が形成されている。この浄水室１０の中には、多数の浄水球１１が収容されている。浄水球１１の充填量は、浄水室１０の５〜８割程度が適当である。
【０００９】
浄水球１１は直径１０〜１５ｍｍ程度の陶磁器製やセラミック製などの球体である。実施例では、陶土などの適当な天然土を球状に成形した上、焼結して作られている。そして、水が、このような多数の浄水球１１の中を下から上に通過すると、球が激しく流動し、水が攪乱されたり、球同士が衝突したりして、その間に水が浄水され、また活性化されることになる。
【００１０】
１２は浄水筒７を下方へ付勢する押バネで、通常は、このバネ力によって浄水筒７は下端まで押し下げられるので、ガイドの通水開口６は遮断される。１３は案内ロッド、１４は浄水部の上蓋、１５はケーシングで、このケーシング１５は弁箱３と連結している。
【００１１】
次に、前記の浄水装置の作動について説明する。通常時は、浄水筒７はバネ１２の力、あるいは、筒の自重で、最下端まで降下していて、ガイド５の外面は筒下端部で遮蔽されていて、通水開口６は閉じており、ここからの通水はない。従って、水は、図１に示されるように弁箱３の入口から入り、弁座４の孔を下から上へと通り、浄水筒７の中を上昇し、多孔通水板９を通り、浄水室１０に入る。そして、浄水球１１の間を通り抜けるが、この間、浄水球１１の流動による攪乱や衝突の作用で、水は浄水され、かつ、活性化される。浄水された水は更に上昇して、上端の多孔通水板８を通り、浄水筒７の外に出て、ケーシング１５と浄水筒７との間を通って流下し、弁箱３の出口から流出する。
【００１２】
次に、高圧大流量の水が弁部１に流入した場合について説明する。この場合は、高圧で大量の水が浄水部２に流れ込もうとするので、多孔通水板９、８の通過抵抗や、浄水球１１が上面の多孔板８に貼り付いてしまう抵抗などによって、浄水筒７に上昇力が作用し、筒７はバネ１２の力に打ち勝って、図２のように上方に移行する。この結果、ガイド側壁の通水開口６が開いて、ここでの通水が可能になるので、弁座４の孔から入った水は、すぐにガイド５の通水開口６から外へ逃げ出して、そのまま弁部１の出口から流出する。従って、高圧大流量の水が浄水部２に入ることがないので、浄水部１２の損傷を防止できる。
【００１３】
本発明は前記の実施例に限定されるものではなく、特許請求の範囲の記載の範囲内で自由に変形実施可能である。特に、弁部１の構造、ガイド５の形状、浄水筒７の形状及び支持手段、浄水球１１の大きさや材質、バネ１２の使用の有無などは自由である。
【００１４】
【発明の効果】
本発明の浄水装置は、通常時には、弁部に入った水は、そのまま浄水部に送られて、浄水球による浄化と活性化とを受け、処理された水は弁部の出口から排出されるようになる。また、高圧大流量の水が送り込まれた時には、その通水抵抗によって浄水筒が押し上げられて、ガイドの側壁の通水開口が開き、ここから水を逃がすようになるので、高圧大流量の水による浄水部の損傷を防止でき、長期に互って安全に浄水装置を使用できる。
【００１５】
請求項２のものはガイドの通水開口の開閉を確実に行わせることができ、また、浄水筒にバネ圧を作用させているので、水が高圧から常圧に戻った場合には自動的、かつ、確実に復帰させることができるなど、実用上、非常に便利である。
【００１６】
請求項３のものは、浄水球に、天然陶土の焼結体を用いているので、浄水と活性化とを確実に達成できる上に、廉価に製造提供可能である。
【図面の簡単な説明】
【図１】本発明の浄水装置の通常状態の断面図。
【図２】高圧水作用状態の断面図。
【符号の説明】
１　　　　　弁部
２　　　　　浄水部
３　　　　　弁箱
４　　　　　弁座
５　　　　　ガイド
６　　　　　通水開口
７　　　　　浄水筒
８、９　　　多孔通水板
１０　　　　浄水室
１１　　　　浄水球
１２　　　　バネ
１５　　　　ケーシング
【図１】
2004033906.tif 000003
【図２】
2004033906.tif 000004